(57)【要約】【課題】バルーンを医療器具に簡単に装着することのできるバルーン装着装置を提供する。【解決手段】バルーン６０は、内視鏡１０の挿入部１２をバルーン端部６２に挿通させて装着する。バルーン端部６２は、自然状態で挿入部１２が挿通可能な大きさに形成される筒状部６２Ａと、筒状部６２Ａに挿入部１２を挿通させた状態で筒状部６２Ａと挿入部１２との間に密閉室６６を形成するシールリング６２Ｂ、６２Ｂと、密閉室６６が減圧された際にその減圧状態を維持する接続部６２Ｃと、を備える。【選択図】  図３
2009160094.tif 000002
【特許請求の範囲】
【請求項１】
内視鏡などの医療器具に装着し、膨出部及びバルーン端部を有するバルーンにおいて、
前記バルーン端部は、
自然状態で前記医療器具が挿通可能な大きさに形成される筒状部と、
前記筒状部に前記医療器具を挿通させた状態で前記筒状部と前記医療器具との間を密閉室にする密閉部と、
前記密閉室が減圧された際にその減圧状態を維持する減圧維持部と、
を備えることを特徴とするバルーン。
【請求項２】
前記減圧維持部は、前記密閉室を減圧する減圧手段と該密閉室との接続部分に設けられた弁であることを特徴とする請求項１に記載のバルーン。
【請求項３】
前記減圧維持部は、前記密閉室から延出され、その先端が減圧手段に着脱自在に連結される吸引チューブであり、該吸引チューブを前記筒状部に巻き付けることによって前記密閉室の減圧状態が維持されることを特徴とする請求項１に記載のバルーン。
【請求項４】
内視鏡などの医療器具を、膨出部及びバルーン端部を有するバルーンに挿入することによって該バルーンを前記医療器具に装着するバルーン装着方法において、
自然状態で前記医療器具よりも大きく形成された前記バルーン端部の筒状部に前記医療器具を挿入し、
該医療器具を挿入した状態で、前記筒状部と前記医療器具との間に密閉室を形成し、
該密閉室に減圧手段を接続して前記密閉室を減圧することによって、前記バルーン端部を前記医療器具に固定し、
前記密閉室の減圧状態を維持することを特徴とするバルーン装着方法。
【請求項５】
前記減圧手段と前記密閉室との接続部に設けた弁によって、前記密閉室の減圧状態を維持することを特徴とする請求項４に記載のバルーン装着方法。
【請求項６】
前記密閉室から延出され、その先端部が前記減圧手段に着脱自在に連結される吸引チューブを、前記筒状部に巻き付けることによって、前記密閉室の減圧状態を維持することを特徴とする請求項４に記載のバルーン装着方法。
【発明の詳細な説明】
【技術分野】
【０００１】
本発明はバルーン及びバルーン装着方法に係り、特に膨縮自在なバルーンを内視鏡に装着するためのバルーン及びバルーン装着方法に関する。
【背景技術】
【０００２】
内視鏡装置では、膨張・収縮するバルーンが様々な用途で用いられている。例えば、小腸や大腸等の深部消化管を観察する内視鏡装置では、内視鏡挿入部や内視鏡挿入補助具（スライディングチューブまたはオーバーチューブ等）に膨縮自在なバルーンが装着され、このバルーンを膨張させることによって内視鏡挿入部や挿入補助具を体内に固定できるようになっている。また、超音波検査装置では、超音波プローブの先端の超音波走査部を囲繞して超音波伝達媒体を充填するために膨縮自在なバルーンが用いられ、超音波内視鏡では、挿入部の先端の超音波トランスデューサを囲繞して超音波伝達媒体を充填するために膨縮自在なバルーンが用いられる。
【０００３】
このようなバルーンは、ゴム等の弾性体によって構成されており、その端部は、自然状態で取付対象物（内視鏡挿入部や挿入補助具など）の外径よりも小径の筒状に形成されている。そして、バルーンを装着する際は、バルーンの端部を拡径しながら取付対象物に被せた後、バルーンの端部の上から糸を巻回したりゴムバンドを外嵌させたりすることによって、バルーンの端部を取付対象物に固定している。
【０００４】
ところで、バルーンの端部を拡径しながら取付対象物に被せる作業は非常に煩わしく、取付作業に手間がかかるという問題がある。そこで、特許文献１では、バルーンを筒体の内周面に吸着して拡径させ、挿入部や挿入補助具を挿入している。この方法によれば、筒体の内周面にバルーンを吸着することによってバルーンの内径を拡げることができるので、挿入部や挿入補助具を簡単に挿通させることができる。
【特許文献１】特開平５−１５４８７号公報
【発明の開示】
【発明が解決しようとする課題】
【０００５】
しかしながら、特許文献１は、バルーンの端部を拡径させるために大きな吸引力が必要になるという問題や、バルーン端部を全周にわたってめくりあげなければならず、作業が非常に煩雑になるという問題があった。また、特許文献１は、バルーン端部が自然状態で挿入部よりも小径であり、このバルーン端部を無理に拡径させるので、バルーン端部が変形したり劣化したりするおそれがあった。
【０００６】
本発明はこのような事情に鑑みてなされたもので、バルーン端部の変形や劣化のおそれのないバルーン及びバルーン装着方法を提供することを目的とする。
【課題を解決するための手段】
【０００７】
請求項１に記載の発明は前記目的を達成するために、内視鏡などの医療器具に装着し、膨出部及びバルーン端部を有するバルーンにおいて、前記バルーン端部は、自然状態で前記医療器具が挿通可能な大きさに形成される筒状部と、前記筒状部に前記医療器具を挿通させた状態で前記筒状部と前記医療器具との間を密閉室にする密閉部と、前記密閉室が減圧された際にその減圧状態を維持する減圧維持部と、を備えることを特徴とする。
【０００８】
本発明によれば、内視鏡などの医療器具をバルーン端部に挿通させることによって密閉室が形成され、この密閉室を減圧することによって筒状部が医療器具に密着して固定され、さらに密閉室の減圧状態が減圧維持部によって維持される。これにより、バルーン端部が医療器具に固定され、バルーンが医療器具に装着される。よって、本発明によれば、バルーン端部の筒状部が自然状態で医療器具よりも大きく形成されるので、バルーン端部を拡径して装着する従来のバルーンのように無理に拡径する必要がなく、バルーンを安全且つ迅速に医療器具に装着することができる。
【０００９】
請求項２に記載の発明は請求項１の発明において、前記減圧維持部は、前記密閉室を減圧する減圧手段と該密閉室との接続部分に設けられた弁であることを特徴とする。本発明によれば、減圧手段を取り外した際に弁によって密閉室の減圧状態を維持することができる。
【００１０】
請求項３に記載の発明は請求項１の発明において、前記減圧維持部は、前記密閉室から延出され、その先端が減圧手段に着脱自在に連結される吸引チューブであり、該吸引チューブを前記筒状部に巻き付けることによって前記密閉室の減圧状態が維持されることを特徴とする。本発明によれば、減圧手段に接続するための吸引チューブを利用して密閉室の減圧を維持することができる。
【００１１】
請求項４に記載の発明は前記目的を達成するために、内視鏡などの医療器具を、膨出部及びバルーン端部を有するバルーンに挿入することによって該バルーンを前記医療器具に装着するバルーン装着方法において、自然状態で前記医療器具よりも大きく形成された前記バルーン端部の筒状部に前記医療器具を挿入し、該医療器具を挿入した状態で、前記筒状部と前記医療器具との間に密閉室を形成し、該密閉室に減圧手段を接続して前記密閉室を減圧することによって、前記バルーン端部を前記医療器具に固定し、前記密閉室の減圧状態を維持することを特徴とする。
【００１２】
本発明によれば、バルーン端部の筒状部が自然状態で医療器具よりも大きく形成されるので、バルーン端部を拡径することなく医療器具を挿通させて装着することができ、バルーンを安全且つ迅速に挿入部に装着することができる。
【００１３】
請求項５に記載の発明は請求項４の発明において、前記減圧手段と前記密閉室との接続部に設けた弁によって、前記密閉室の減圧状態を維持することを特徴とする。本発明によれば、減圧手段を取り外した際に弁によって密閉室の減圧状態を維持することができる。
【００１４】
請求項６に記載の発明は請求項４の発明において、前記密閉室から延出され、その先端部が前記減圧手段に着脱自在に連結される吸引チューブを、前記筒状部に巻き付けることによって、前記密閉室の減圧状態を維持することを特徴とする。本発明によれば、減圧手段に接続するための吸引チューブを利用して密閉室の減圧を維持することができる。
【発明の効果】
【００１５】
本発明によれば、バルーン端部の筒状部が自然状態で医療器具よりも大きく形成されるので、バルーン端部を拡径して装着する従来のバルーンのように無理に拡径させる必要がなく、バルーンを安全且つ迅速に挿入部に装着することができる。
【発明を実施するための最良の形態】
【００１６】
以下添付図面に従って本発明に係るバルーン及びバルーン装着方法の好ましい実施の形態について詳述する。
【００１７】
図１は本発明に係るバルーンが使用されるバルーン内視鏡装置の一例を示すシステム構成図である。図１に示すように内視鏡装置は主として、内視鏡１０、バルーン６０及びバルーン制御装置７０で構成される。
【００１８】
内視鏡１０は、手元操作部１４と、この手元操作部１４に連設され、体内に挿入される挿入部１２とを備える。手元操作部１４には、ユニバーサルケーブル１６が接続され、このユニバーサルケーブル１６の先端にＬＧコネクタ１８が設けられる。ＬＧコネクタ１８は光源装置２０に着脱自在に連結され、これによって挿入部１２の先端に設けた照明光学系（不図示）に照明光が送られる。また、ＬＧコネクタ１８には、ケーブル２２を介して電気コネクタ２４が接続され、この電気コネクタ２４がプロセッサ２６に着脱自在に連結される。
【００１９】
手元操作部１４には、送気・送水ボタン２８、吸引ボタン３０、シャッターボタン３２、及び機能切替ボタン３４が並設されるとともに、一対のアングルノブ３６、３６が設けられる。
【００２０】
挿入部１２は、手元操作部１４側から順に軟性部４０、湾曲部４２、及び先端部４４で構成される。軟性部４０は、螺旋状に巻回された金属板の外周にネットを被せ、その外周を被覆することにより構成されており、十分な可撓性を有している。
【００２１】
湾曲部４２は、手元操作部１４のアングルノブ３６、３６を回動することによって遠隔的に湾曲するように構成される。たとえば、湾曲部４２は、円筒状の複数の節輪をピンによって回動自在に連結するとともに、その節輪の内部に複数本の操作ワイヤを挿通させて前記ピンにガイドさせ、操作ワイヤを押し引き操作することによって、節輪同士が回動して湾曲部４２が湾曲操作されるようになっている。この湾曲部４２を湾曲操作することによって、先端部４４を所望の方向に向けることができる。
【００２２】
図２に示すように、先端部４４の先端面には、観察光学系５２、照明光学系５４、５４、送気・送水ノズル５６、鉗子口５８が設けられる。観察光学系５２の後方にはＣＣＤ（不図示）が配設され、このＣＣＤを支持する基板に信号ケーブル（不図示）が接続される。信号ケーブルは挿入部１２、手元操作部１４、ユニバーサルケーブル１６等に挿通されて電気コネクタ２４まで延設され、プロセッサ２６に接続される。よって、観察光学系５２で取り込まれた観察像がＣＣＤの受光面に結像されて電気信号に変換され、この電気信号が信号ケーブルを介してプロセッサ２６に出力され、映像信号に変換される。これにより、プロセッサ２６に接続されたモニタ５０に観察画像が表示される。
【００２３】
照明光学系５４は、その後方にライトガイド（不図示）の出射端が配設される。ライトガイドは挿入部１２、手元操作部１４、ユニバーサルケーブル１６に挿通されてＬＧコネクタ１８内にその入射端が配設される。したがって、ＬＧコネクタ１８を光源装置２０に連結することによって、光源装置２０から照射された照明光がライトガイドを介して照明光学系５４に伝送され、照明光学系５４から前方に照射される。
【００２４】
先端部４４に設けた送気・送水ノズル５６は、送気・送水ボタン２８によって操作されるバルブ（不図示）に連通され、このバルブがＬＧコネクタ１８に設けた送気・送水コネクタ４８に連通される。送気・送水コネクタ４８には不図示の送気・送水手段が接続され、エア及び水が供給される。したがって、送気・送水ボタン２８を操作することによって、送気・送水ノズル５６からエア又は水が観察光学系に向けて噴射される。
【００２５】
先端部４４に設けた鉗子口５８は、鉗子挿入部４６に連通される。よって、鉗子挿入部４６から鉗子等の処置具を挿入することによって、処置具を鉗子口５８から導出することができる。また、鉗子口５８は、吸引ボタン３０によって操作されるバルブ（不図示）に連通され、このバルブがＬＧコネクタ１８の吸引コネクタ４９に接続される。したがって、吸引コネクタ４９に不図示の吸引手段を接続し、吸引ボタン３０で操作することによって、鉗子口５８から病変部等を吸引することができる。
【００２６】
上記の如く構成された挿入部１２の外周面には、後述のバルーン６０に流体を供給、吸引するための流体口４３が形成されている。流体口４３には、挿入部１２内のチューブ（不図示）が接続され、このチューブを介して手元操作部１４のバルーン送気口３８（図１参照）に連通される。バルーン送気口３８には、チューブ１１０が接続され、このチューブ１１０を介してバルーン制御装置７０が接続される。バルーン制御装置７０は、バルーン６０にエア等の流体を供給・吸引する装置であり、このバルーン制御装置７０から、流体（たとえばエア）を供給、吸引することによって、バルーン６０にエアを供給、吸引することができる。バルーン６０はエアを供給することによって略球状に膨張し、エアを吸引することによって挿入部１２の外表面に張り付くようになっている。なお、バルーン６０については後に詳説する。
【００２７】
バルーン制御装置７０は主として、装置本体７２と、リモートコントロール用のハンドスイッチ７４で構成される。装置本体７２の前面には、電源スイッチＳＷ１、停止スイッチＳＷ２、圧力表示部７６が設けられる。圧力表示部７６はバルーン６０の圧力値を表示するパネルであり、バルーン破れ等の異常発生時にはこの圧力表示部７６にエラーコードが表示される。
【００２８】
装置本体７２の前面には、バルーン６０へのエア供給・吸引を行うチューブ８０が接続される。チューブ８０と装置本体７２との接続部分にはバルーン６０が破れた時の体液の逆流を防止するための逆流防止ユニット８２が設けられる。逆流防止ユニット８２は、装置本体７２に着脱自在に装着された中空円盤状のケース（不図示）の内部に気液分離用のフィルタを組み込むことによって構成されており、装置本体７２内に液体が流入することをフィルタによって防止する。
【００２９】
一方、ハンドスイッチ７４には、各種のスイッチが設けられる。たとえば、装置本体７２側の停止スイッチＳＷ２と同様の停止スイッチや、バルーン６０の加圧／減圧を指示するＯＮ／ＯＦＦスイッチ、バルーン６０の圧力を保持するためのポーズスイッチなどが設けられる。このハンドスイッチ７４はコード８４を介して装置本体７２に電気的に接続されている。なお、図１には示してないが、ハンドスイッチ７４には、バルーン６０の送気状態、或いは排気状態を示す表示部が設けられている。
【００３０】
上記の如く構成されたバルーン制御装置７０は、バルーン６０にエアを供給して膨張させるとともに、そのエア圧を一定値に制御してバルーン６０を膨張した状態に保持する。また、バルーン６０からエアを吸引して収縮させるとともに、そのエア圧を一定値に制御してバルーン６０を収縮した状態に保持する。
【００３１】
バルーン制御装置７０は、バルーン専用モニタ８６に接続されており、バルーン６０を膨張、収縮させる際に、バルーン６０の圧力値や膨張・収縮状態をバルーン専用モニタ８６に表示する。なお、バルーン６０の圧力値や膨張・収縮状態は、内視鏡１０の観察画像にスーパーインポーズしてモニタ５０に表示するようにするようにしてもよい。
【００３２】
上記の如く構成された内視鏡装置の操作方法の一例としては、挿入部１２をプッシュ式で挿入していき、必要に応じてバルーン６０を膨張させて挿入部１２を体内（たとえば大腸）に固定する。そして、挿入部１２を引いて体内（たとえば大腸）の管形状を単純化した後、バルーン６０を収縮させて挿入部１２をさらに腸管の深部に挿入する。たとえば、挿入部１２を被検者の肛門から挿入し、挿入部１２の先端がＳ状結腸を過ぎた際にバルーン６０を膨張させて挿入部１２を腸管に固定し、挿入部１２を引いてＳ状結腸を略直線状にする。そして、バルーン６０を収縮させて、挿入部１２の先端を腸管の深部に挿入していく。これにより、挿入部１２を腸管の深部に挿入することができる。なお、上述した内視鏡１０を、バルーン付きの挿入補助具（不図示）とともに、ダブルバルーン式内視鏡装置として使用してもよい。
【００３３】
次に本発明に係るバルーン６０について説明する。図３は第１の実施形態のバルーン６０を示す斜視図であり、図４（ａ）〜図４（ｃ）はバルーン６０の装着方法を説明する説明図である。
【００３４】
図３に示すように、バルーン６０は、ゴムなどの弾性材によって全体が略筒状に形成されており、その両端に設けられた一定径のバルーン端部６２、６２と、その間に膨出するように形成された中央部６４とで構成されている。
【００３５】
バルーン端部６２は、筒状部６２Ａと、その内部に設けられた一対のシールリング６２Ｂ、６２Ｂ（袋構造に相当）とを備える。筒状部６２Ａは、自然状態（すなわち、膨張も収縮もしていない状態）での内径が、挿入部１２の外径よりも大きく形成されている。したがって、筒状部６２Ａは、自然状態であっても挿入部１２を自在に挿通することができ、挿通時にバルーン端部６２を拡径する必要がない。
【００３６】
筒状部６２Ａの内部には一対のシールリング６２Ｂ、６２Ｂが所定の間隔で設けられている。シールリング６２Ｂはリング状に形成されており、その外周が筒状部６２Ａの内周面に全周にわたって密着される。シールリング６２Ｂの内周面の内径は、挿入部１２の外径と略同じ寸法で（または若干小さく）形成されており、挿入部１２を挿通させることによって挿入部１２の外周面がシールリング６２Ｂの内周面に全周にわたって密着するように構成される。したがって、挿入部１２をシールリング６２Ｂ、６２Ｂに挿通させた際に挿入部１２の外周面と筒状部６２Ａの内周面との隙間が一対のシール部材６２Ｂ、６２Ｂによって封止されるので、挿入部１２の外周面と筒状部６２Ａの内周面と一対のシールリング６２Ｂ、６２Ｂとで囲まれた円筒状の密閉室６６を形成することができる。なお、シールリング６２Ｂ、６２Ｂは、筒状部６２Ａよりも変形しやすく構成するとよい。たとえば、シールリング６２Ｂと筒状部６２Ａを同じ材質によって一体的に形成するとともに、シールリング６２Ｂを筒状部６２Ａよりも薄く形成する。これにより、後述の如く密閉室６６を減圧した際にシールリング６２Ｂが筒状部６２Ａよりも先に変形するので、筒状部６２Ａを挿入部１２の外周面に密着させることができる。また、シールリング６２Ｂを筒状部６２Ａよりも変形しやすい材質によって形成してもよい。ただし、密閉力を上げるには、シールリング６２Ｂ、６２Ｂは硬い材質の方がいいが、挿入部１２の挿通性を妨げるものであってはならない。
【００３７】
筒状部６２Ａの外周面には、接続部６２Ｃが設けられ、この接続部６２Ｃに減圧装置６８（図４（ｂ）参照）のチューブ６８Ｃが着脱自在に連結される。したがって、減圧装置６８を駆動することによって密閉室６６の内部からエアが吸引され、密閉室６６が減圧される。接続部６２Ｃの内部には不図示の弁が設けられており、この弁によってエアの流れを防止することができる。したがって、密閉室６６の減圧状態を弁によって維持することができる。なお、弁は、密閉室６６の減圧状態を維持できるものであればよく、開閉弁や逆止弁などの他、口金弁などを設けてもよい。
【００３８】
上記の如く構成されたバルーン６０は、まず、図４（ａ）の如くバルーン端部６２の筒状部６２Ａに挿入部１２を挿通させる。その際、筒状部６２Ａの内径が挿入部１２の外径よりも大きく形成されているので、挿入部１２を容易に挿通させることができる。したがって、バルーン端部を無理に拡径させる従来のバルーンのように、バルーン端部６２が変形したり損傷したりするおそれがない。
【００３９】
挿入部１２を筒状部６２Ａに挿入することによって、図４（ｂ）に示すように挿入部１２の外周面がシールリング６２Ｂ、６２Ｂの内周面に全周にわたって密着する。これにより、挿入部１２の外周面と筒状部６２Ａの内周面とシールリング６２Ｂ、６２Ｂとで囲まれた円筒状の密閉室６６を形成することができる。
【００４０】
次に、減圧装置６８のチューブ６８Ｃの先端をバルーン端部６２の接続部６２Ｃに連結し、減圧装置６８を駆動する。これにより、密閉室６６からエアが吸引され、密閉室６６が減圧される。そして、図４（ｃ）に示すように、密閉室６６を構成する筒状部６２Ａが窄まり、挿入部１２の外周面に密着される。
【００４１】
密閉室６６を減圧した後、弁によって流路を遮断する。これにより、密閉室６６が減圧状態に維持され、バルーン端部６２Ｂが挿入部１２に固定される。
【００４２】
バルーン６０を装着した後、接続部６２Ｃから減圧装置６８のチューブ６８Ｃを取り外す。これによりバルーン６０を挿入部１２に装着することができる。
【００４３】
このように本実施の形態のバルーン６０によれば、バルーン端部６２の筒状部６２Ａを挿入部１２よりも大きく形成したので、バルーン端部６２を無理に拡径させる必要がなく、バルーン端部６２の変形や損傷を防止することができ、バルーン６０を安全且つ迅速に挿入部１２に装着することができる。
【００４４】
また、本実施の形態によれば、バルーン端部６２の内部に密閉室６６を形成し、この密閉室６６を減圧してその減圧状態を維持することによって、バルーン端部６２を挿入部１２に固定するようにしたので、挿入部１２に過剰な押圧力が働くことがなく、挿入部１２の損傷を防止することができる。
【００４５】
さらに、本実施の形態によれば、密閉室６６を減圧してバルーン端部６２を固定するので、小さな吸引力でよく、簡単且つ迅速にバルーン６２を装着することができる。
【００４６】
次に本発明に係るバルーンの第２の実施形態について説明する。図５（ａ）〜図５（ｃ）は第２の実施形態のバルーン９０の装着方法を説明する説明図である。
【００４７】
図５（ａ）〜図５（ｃ）に示す第２の実施形態のバルーン９０は、図４に示した第１の実施形態のバルーン６０と比較して、バルーン端部９２に吸引チューブ９０ｃが一体的に形成されている点で異なっている。すなわち、第２の実施形態のバルーン９０は、バルーン端部９２、９２と、膨出した中央部９４とから成り、バルーン端部９２は、一定径の筒状部９２Ａと、その内部に設けられたシールリング９２Ｂ、９２Ｂと、筒状部９２Ａの外周面に接続された吸引チューブ９２Ｃとによって構成されている。吸引チューブ９２Ｃは筒状部９２Ａの内部（すなわち密閉室９６）に連通されており、吸引チューブ９２Ｃの先端は、減圧装置９８に着脱自在に接続できるようになっている。したがって、減圧装置９８を駆動することによって、密閉室９６が吸引されて減圧される。なお、第２の実施形態の筒状部９２Ａ、シールリング９２Ｂ、密閉室９６はそれぞれ、第１の実施形態の筒状部６２Ａ、シールリング６２Ｂ、密閉室６６と略同様の構成であり、その説明を省略する。
【００４８】
上記の如く構成された第２の実施形態では、第１の実施形態と同様に、まず図５（ａ）に示すように筒状部９２Ａに挿入部１２を挿通させ、図５（ｂ）に示す如く密閉室９６を形成する。そして、密閉室９６を減圧して筒状部９２Ａを挿入部１２に密着させた後、図５（ｃ）に示すように、吸引チューブ９２Ｃを減圧装置９８から取り外して筒状部９２Ａに巻き付ける。巻き付けた吸引チューブ９２Ｃは、縛ったり、接着剤を塗布したりすることによって挿入部１２に固定する。これにより、密閉室９６の減圧状態を維持することができ、バルーン端部９２を挿入部１２に固定することができる。
【００４９】
第２の実施形態のバルーン９０の場合にも、筒状部９２Ａを挿入部１２よりも大きく形成することによって、筒状部９２Ａを拡径することなく挿入部１２を挿通させることができるので、バルーン端部９２の変形や損傷を防止することができ、バルーン９０を安全且つ迅速に挿入部１２に装着することができる。
【００５０】
次に本発明に係るバルーンの第３の実施形態について説明する。図６（ａ）〜図６（ｃ）は第３の実施形態のバルーン１００の装着方法を説明する説明図である。
【００５１】
図６（ａ）〜図６（ｃ）に示す第３の実施形態のバルーン１００は、図４に示した第１の実施形態のバルーン６０と比較して、バルーン端部１００にシールリングがなく、糸１１０によって密閉室１０６を形成する点で異なっている。すなわち、第３の実施形態のバルーン１００は、バルーン端部１０２、１０２と、膨出した中央部１０４とから成り、バルーン端部１０２は、一定径の筒状部１０２Ａと、筒状部１０２の外周面に設けられた接続部１０２Ｃとで構成されている。筒状部１０２Ａの内径は、挿入部１２の外径よりも大きく形成されており、自然状態の筒状部１０２Ａに挿入部１２を挿通できるようになっている。糸１１０は、挿入部１２を筒状部１０２Ａに挿通させた状態で、筒状部１０２Ａに巻回される。その際、一つの筒状部１０２Ａに対して二つの糸１１０を所定の間隔で（たとえば、筒状部１０２Ａの両縁）に巻回する。これにより、糸１１０を巻回した位置で筒状部１０２Ａの内周面が挿入部１２の外周面に密着し、筒状部１０２Ａの内周面と挿入部１２の外周面とによって密閉室１０６が形成される。なお、第３の実施形態の筒状部１０２Ａ、接続部１０２Ｃ、密閉室１０６、減圧装置１０８はそれぞれ、第１の実施形態の筒状部６２Ａ、接続部６２Ｃ、密閉室６６、減圧装置６８と略同様の構成であり、その説明を省略する。
【００５２】
上記の如く構成された第３の実施形態では、第１の実施形態と同様に、まず図６（ａ）に示すように筒状部１０２Ａに挿入部１２を挿通させる。そして、図６（ｂ）に示すように、一つの筒状部１０２Ａに二つの糸１１０を巻回することによって、密閉室１０６を形成する。そして、減圧装置１０８を駆動することによって密閉室１０６を減圧し、図６（ｃ）に示すように筒状部１０２Ａの内周面全体を挿入部１２に密着させる。その後、接続部１０２Ｃから減圧装置１０８のチューブ１０８Ｃを取り外す。これによりバルーン１００を挿入部１２に装着することができる。
【００５３】
第３の実施形態のバルーン１００の場合にも、筒状部１０２Ａを挿入部１２よりも大きく形成することによって、筒状部１０２Ａを拡径することなく挿入部１２を挿通させることができるので、バルーン端部１０２の変形や損傷を防止することができ、バルーン１００を安全且つ迅速に挿入部１２に装着することができる。
【００５４】
なお、上述した実施形態のバルーン６０、９０、１００は、挿入部１２を腸管等に固定する用途で用いたが、他の用途のバルーンとして使用してもよい。たとえば、超音波内視鏡に用いるバルーンとして本発明を用いてもよい。
【００５５】
また、上述した実施形態は、バルーン６０、９０、１００を内視鏡１０の挿入部１２に装着する例で説明したが、装着する医療器具の種類はこれに限定するものではなく、たとえば、挿入部１２の体内への挿入をガイドするオーバーチューブやスライディングチューブなどの挿入補助具に本発明のバルーン６０、９０、１００を装着するようにしてもよい。さらに、内視鏡１０の鉗子チャンネルに挿通される挿入案内具や、腸管の拡張用のカテーテルなどに、本発明のバルーン６０、９０、１００を装着するようにしてもよい。
【００５６】
さらに、上述した実施形態は、略筒状のバルーン６０、９０、１００を装着する例で説明したが、バルーン端部が片側のみに設けられた袋状のバルーンにも本発明を適用することができる。
【図面の簡単な説明】
【００５７】
【図１】本発明に係るバルーンを使用する内視鏡装置のシステム構成図
【図２】内視鏡の挿入部の先端部を示す斜視図
【図３】本発明に係るバルーンの第１の実施形態を示す斜視図
【図４】第１の実施形態のバルーンの装着方法を説明する説明図
【図５】第２の実施形態のバルーンの装着方法を説明する説明図
【図６】第３の実施形態のバルーンの装着方法を説明する説明図
【符号の説明】
【００５８】
１０…内視鏡、１２…挿入部、６０…バルーン、６２…バルーン端部、６２Ａ…筒状部、６２Ｂ…シールリング、６２Ｃ…接続部、６４…中央部（膨出部に相当）、６６…密閉室、６８…減圧装置、７０…バルーン制御装置、９０…バルーン、９２…バルーン端部、９２Ａ…筒状部、９２Ｂ…シールリング、９２Ｃ…吸引チューブ、９４…中央部（膨出部に相当）、９６…密閉室、９８…減圧装置、１００…バルーン、１０２…バルーン端部、１０２Ａ…筒状部、１０２Ｃ…接続部、１０４…中央部（膨出部に相当）、１０６…密閉室、１０８…減圧装置
【図１】
2009160094.tif 000003
【図２】
2009160094.tif 000004
【図３】
2009160094.tif 000005
【図４】
2009160094.tif 000006
【図５】
2009160094.tif 000007
【図６】
2009160094.tif 000008